(57)【要約】【課題】棚板の着脱を容易に行うことができると共に、棚板の位置ずれを確実に抑制できる棚装置を提供する。【解決手段】棚装置１は、取付部材２と、前後方向に延在し、取付部材２に取り付けられる棚板受部材３と、棚板受部材３に載置される棚板４と、棚板４を支持する棚板支持部材５と、を備える。棚板４は、下面部４ａ、当該下面部４ａに対向する上面部４ｂ、並びに、上面部４ｂ及び下面部４ａを連結する側面部４ｃ，４ｄ，４ｅ，４ｆを有する。側面部４ｃには内側に延びる被挿入部１０が形成されている。棚板支持部材５は、棚板受部材３に連結される支持部１２と、支持部１２の一端部１２ａ側に形成され、被挿入部１０内に挿入される挿入部１１と、を有する。【選択図】図１
2015107313.tif 000002
【特許請求の範囲】
【請求項１】
取付部材と、
前後方向に延在し、前記取付部材に取り付けられる棚板受部材と、
前記棚板受部材に載置される棚板と、
前記棚板を支持する棚板支持部材と、を備え、
前記棚板は、下面部、当該下面部に対向する上面部、並びに、前記上面部及び前記下面部を連結する側面部を有し、当該側面部には内側に延びる被挿入部が形成されており、
前記棚板支持部材は、
前記取付部材及び前記棚板受部材の少なくとも一方に連結される支持部と、
前記支持部の一端部側に形成され、前記被挿入部内に挿入される挿入部と、を有する棚装置。
【請求項２】
前記被挿入部は、前記棚板の前記側面部のうち、前記前後方向に沿った側面部の少なくとも一つに設けられている、
請求項１に記載の棚装置。
【請求項３】
前記被挿入部は、前記棚板の前記側面部のうち、前側の側面部に設けられている、
請求項１又は２に記載の棚装置。
【請求項４】
前記挿入部は、前記被挿入部に挿入されて、挿入方向と直交する方向への前記棚板の前記挿入部に対する相対的な移動が規制された状態となるように形成されている、
請求項１〜３のいずれか一項に記載の棚装置。
【発明の詳細な説明】
【技術分野】
【０００１】
本発明は、取付部材に取り付けられた棚板受部材に棚板を載置した棚装置に関する。
【背景技術】
【０００２】
従来、支柱等の取付部材に取り付けられたブラケット（棚板受部材）の上面に棚板を載置した棚装置が知られている。例えば特許文献１に記載された棚装置では、支柱に設けられたスリットに棚板抑え金具を装着し、棚板をブラケットと棚板抑え金具とで挟み込むことで、棚板を支持している。また、例えば特許文献２に記載された棚装置では、ブラケット上面にねじ孔が設けられると共に、棚板の当該ねじ孔に対応する位置に係合孔が設けられている。そして、係合孔及びねじ孔にねじを嵌め込むことによって、ブラケットに対して棚板を固定している。
【先行技術文献】
【特許文献】
【０００３】
【特許文献１】特許第５０６８９８４号公報
【特許文献２】特開２００２−３４５６０９号公報
【発明の概要】
【発明が解決しようとする課題】
【０００４】
上記特許文献１に記載された棚板の支持方法によれば、棚板の後端側の跳ね上がりを防止することができる。しかし、この支持方法では、棚板を挟み込む力は、鉛直方向に作用するため、鉛直方向に垂直となる水平方向に対する棚板の位置ずれを抑制するための支持としては不十分となるおそれがある。
【０００５】
上記特許文献２に記載された棚板の支持方法によれば、棚板をブラケットに対して強固に固定することができる。しかし、この支持方法では、棚板の左右両端部それぞれについてねじ止めを行うため、棚板の着脱を容易に行うことができない。
【０００６】
本発明は、このような課題を解決するためになされたものであり、棚板の着脱を容易に行うことができると共に、棚板の位置ずれを確実に抑制できる棚装置を提供することを目的とする。
【課題を解決するための手段】
【０００７】
本発明に係る棚装置は、取付部材と、前後方向に延在し、取付部材に取り付けられる棚板受部材と、棚板受部材に載置される棚板と、棚板を支持する棚板支持部材と、を備え、棚板は、下面部、当該下面部に対向する上面部、並びに、上面部及び下面部を連結する側面部を有し、当該側面部には内側に延びる被挿入部が形成されており、棚板支持部材は、取付部材及び棚板受部材の少なくとも一方に連結される支持部と、支持部の一端部側に形成され、被挿入部内に挿入される挿入部と、を有する。
【０００８】
本発明に係る棚装置では、棚板支持部材は、支持部において取付部材及び棚板受部材の少なくとも一方に連結される。また、支持部の一端部側に設けられた挿入部が、棚板受部材に載置される棚板の側面部に形成された被挿入部内に挿入される。従って、被挿入部に挿入部を挿入することで、棚板支持部材を介して棚板を取付部材及び棚板受部材の少なくとも一方で支持することができ、被挿入部から挿入部を引き抜くことで当該支持を解除することができる。すなわち、被挿入部に対する挿入部の抜き挿しによって、棚板の着脱を容易に行うことができる。また、このように棚板の着脱を容易に行うことができる一方で、棚板の側面部の被挿入部に挿入された挿入部により、棚板の上下方向及び水平方向の移動（位置ずれ）を確実に抑制することができる。以上によって、棚板の着脱を容易に行うことができると共に、棚板の位置ずれを確実に抑制できる。
【０００９】
上記棚装置では、被挿入部は、棚板の側面部のうち、前後方向に沿った側面部の少なくとも一つに設けられていてもよい。これにより、少なくとも棚板の前後方向に対する位置ずれが被挿入部に挿入された挿入部によってより確実に抑制されるので、棚板の前方への飛び出しを効果的に防止することができる。
【００１０】
上記棚装置では、被挿入部は、棚板の側面部のうち、前側の側面部に設けられていてもよい。これにより、少なくとも棚板の左右方向に対する位置ずれ及び前方への位置ずれが被挿入部に挿入された挿入部によってより確実に抑制されるので、棚板の横方向へのずれ落ち及び前方への飛び出しを効果的に防止することができる。
【００１１】
上記棚装置では、挿入部は、被挿入部に挿入されて、挿入方向と直交する方向への棚板の挿入部に対する相対的な移動が規制された状態となるように形成されていてもよい。このような挿入部が被挿入部に挿入されることにより、挿入方向と直交する方向、すなわち上下方向及び水平方向の少なくとも一方に対する棚板の位置ずれがより効果的に抑制される。
【発明の効果】
【００１２】
本発明によれば、棚板の着脱を容易に行うことができると共に、棚板の位置ずれを確実に抑制することができる。
【図面の簡単な説明】
【００１３】
【図１】本発明の第１実施形態に係る棚装置を示す斜視図である。
【図２】（ａ）は、棚板が棚板支持部材により支持されていない状態を示す模式図であり、（ｂ）は、棚板が棚板支持部材により支持されている状態を示す模式図である。
【図３】（ａ）〜（ｄ）は、棚板支持部材の第１〜第４の変形例を示す模式図である。
【図４】本発明の第２実施形態に係る棚装置を示す斜視図である。
【図５】（ａ）は、本発明の第３実施形態に係る棚装置を棚板の側面から見た一部断面図であり、（ｂ）は、挿入部の変形例を示す図である。
【図６】本発明の第４実施形態に係る棚装置を示す斜視図である。
【図７】本発明の第５実施形態に係る棚装置を示す斜視図である。
【発明を実施するための形態】
【００１４】
以下、添付図面を参照しながら本発明に係る棚装置の一実施形態を詳細に説明する。なお、図面の説明において同一の要素には同一の符号を付し、重複する説明を省略する。
【００１５】
［第１実施形態］
図１は、本発明の第１実施形態に係る棚装置１を示す斜視図である。図１に示すように、棚装置１は、一対の取付部材２，２と、一対の棚板受部材３，３と、棚板４と、棚板支持部材５と、を備えている。本実施形態では、棚板４に対して取付部材２，２が位置する側を後側として前後方向を定義する。また、前側から後側に向かって見た状態（すなわち、棚装置１の使用者から見た場合）を基準として、左右方向を定義する。
【００１６】
一対の取付部材２，２は、棚板受部材３，３を取り付けるための部材である。一対の取付部材２，２は、左右方向に所定の間隔を空けて設けられている。取付部材２は、鉛直方向（上下方向）に延在する四角柱状の部材である。取付部材２の後側の側面は、例えば家屋等の屋内の壁面（不図示）に、例えばネジ止めや接着等の所定の方法により固定される。取付部材２の前側の側面には、棚板受部材３を取り付けて固定するための取付部６が形成されている。本実施形態では、取付部６は、棚板受部材３の掛止部（詳細は後述）を挿入して掛止するための複数のスリット２ａによって構成されている。スリット２ａは、棚板受部材３の高さ位置を複数位置で調節可能なように、上下方向に等間隔で複数設けられている。なお、取付部材２は、必ずしも上下方向に延在する柱状部材でなくともよく、例えば左右方向に延在するように家屋等の屋内の壁面に取り付けられた柱状部材であってもよい。また、取付部材２は、必ずしも柱状部材でなくともよく、例えば屋内の壁面に取り付けられた平板状の部材であってもよい。
【００１７】
一対の棚板受部材３，３は、前後方向に延在し、取付部材２，２にそれぞれ取り付けられる部材である。一対の棚板受部材３，３は、同一の高さ位置で前後方向に延在するように、一対の取付部材２，２のそれぞれに１つずつ取り付けられている。棚板受部材３は、取付部材２に取り付けた状態において、前後方向に延在する断面Ｌ字状の棒状のブラケットであり、棚板受部材３を補強すると共に取付部材２に取り付けるための側壁部３ａと、棚板４を載置するための上壁部３ｂと、を備えている。また、棚板受部材３の後端側には、上下２段の逆Ｌ字状の掛止部（図示省略）が形成されている。棚板受部材３は、この２つの掛止部が取付部材２の上下に隣接した２つのスリット２ａ，２ａに挿し込まれることで、取付部材２に対して固定されている。ただし、棚板受部材３を取付部材２に取り付ける方法は、上述の方法に限定されず、例えばネジ止め等によって棚板受部材３を取付部材２に取り付けてもよい。
【００１８】
側壁部３ａは、上下方向に広がると共に前後方向に延在しており、前後方向における略全域において、上下方向の幅が一定となるように延びている。本実施形態では、側壁部３ａの後端側の領域は、棚板４の荷重を十分に支持することができるように、前端側の領域に比して幅広となっている。
【００１９】
上壁部３ｂは、側壁部３ａの上縁部から左右方向における内側へ向かって水平に広がると共に、前後方向に延在している。上壁部３ｂの前端側及び後端側には、上側に突出する凸部３ｃが１つずつ形成されている。この凸部３ｃは、後述する棚板４に設けられた溝部４ｇに対応して形成されている。左側の棚板受部材３の側壁部３ａには、後述する棚板支持部材５を貫通させるための貫通孔３ｄが形成されている（詳細は後述）。なお、上壁部３ｂは必ずしも側壁部３ａの上縁部から左右方向における内側へ向かって水平に広がる構造でなくともよく、左右方向における内側及び外側の両方に水平に広がる構造であってもよい。また、本実施形態では、棚板４のずれ抑制や位置合わせをより効率よく好適に行うための凸部３ｃを有する構成を例示しているが、凸部３ｃを有さない構成であってもよい。本実施形態では、左右一対の棚板受部材３，３のうち左側の棚板受部材３にのみ棚板支持部材５を連結する構成について説明するが、右側の棚板受部材３についても、左側の棚板受部材３と同様に、棚板支持部材５を連結する構成としてもよい。
【００２０】
棚板４は、左右一対の棚板受部材３，３の上壁部３ｂ，３ｂに載置される矩形の板状部材である。棚板４は、下面部４ａと、下面部４ａに対向する上面部４ｂと、下面部４ａ及び上面部４ｂを連結する側面部４ｃ，４ｄ，４ｅ，４ｆと、を有している。側面部４ｃは、棚板４の左側に位置する前後方向に沿った側面部であり、側面部４ｄは、棚板４の右側に位置する前後方向に沿った側面部であり、側面部４ｅは、棚板４の後側に位置する左右方向に沿った側面部であり、側面部４ｆは、棚板４の前側に位置する左右方向に沿った側面部である。下面部４ａ、上面部４ｂ及び側面部４ｆは、丸みを帯びるようになめらかに連結されている。下面部４ａの前端側及び後端側には、上述した棚板受部材３の凸部３ｃ，３ｃに対応する溝部４ｇ，４ｇが左右方向に延在している。凸部３ｃ，３ｃが溝部４ｇ，４ｇにはまることにより、棚板４の前後方向の位置ずれが抑制される。側面部４ｃには、棚板４の内側に延びる被挿入部１０が前後方向に等間隔に複数（図では５つ）並んで形成されている。ただし、後述する挿入部１１を挿入するための被挿入部１０は、少なくとも１つ形成されていればよく、複数形成されていなくともよい。また、被挿入部１０は、棚板４の長手方向（本実施形態における左右方向）に延在して棚板４の右側の側面部４ｄまで貫通していてもよい。なお、棚板４の材質は、特に限定されず、金属であってもよく、樹脂であってもよく、木材であってもよい。その中でも、樹脂製の棚板４は取扱いしやすいため好ましく使用できる。特に軽量化等の目的のために肉抜き等によって側面部４ｃに穴部を有する樹脂製の棚板４は、当該穴部を被挿入部１０として使用でき、被挿入部１０の加工が不要となるため好ましく使用できる。
【００２１】
次に、図１及び図２を参照して、棚板支持部材５の構成について詳細に説明する。図２（ａ）及び図２（ｂ）は、前側から棚装置１を見た場合の棚装置１の一部を模式的に示した図である。図２（ａ）は、棚板４が棚板支持部材５により支持されていない状態を示す模式図である。図２（ｂ）は、棚板４が棚板支持部材５により支持されている状態を示す模式図である。また、図１では、棚板４が棚板支持部材５により支持されていない状態を示す。なお、以降の説明においては、特に言及がない限り、棚板受部材３に連結された状態（図１及び図２に示す状態）における棚板支持部材５について説明するものとする。棚板支持部材５は、棚板４を支持し、棚板４の上下方向及び水平方向の移動（位置ずれ）を抑制するための部材である。棚板支持部材５は、挿入部１１と、支持部１２と、外れ防止部材１３と、を有する。支持部１２の一端部１２ａ側には、挿入部１１が接続されており、支持部１２の他端部１２ｂ側には、外れ防止部材１３が接続されている。
【００２２】
支持部１２は、一端部１２ａ側から他端部１２ｂ側に向かってコの字状に二段階に屈曲された長尺な板状（プレート）部材である。支持部１２が板状部材の場合には、棚板支持部材５の上下方向の向きが安定しやすくなるが、当該支持部１２は棒状等の部材であってもよい。支持部１２は、上側において左右方向に延在する上側片部１６と、下側において左右方向に延在する下側片部１７と、上下方向に延びて上側片部１６及び下側片部１７を接続する接続片部１８と、を備えている。上側片部１６は、棚板４の側面部４ｃ（及び被挿入部１０）と対応する高さ位置に設けられており、側面部４ｃ側の端部（すなわち左右方向における内側の端部）に挿入部１１が設けられている。当該端部が支持部１２の一端部１２ａに該当する。下側片部１７は、棚板４の棚板受部材３の側壁部３ａ（及び貫通孔３ｄ）と対応する高さ位置に設けられており、貫通孔３ｄ内に挿通されると共に、棚板受部材３側の端部（すなわち左右方向における内側の端部）に外れ防止部材１３が設けられている。当該端部が支持部１２の他端部１２ｂに該当する。支持部１２は、左右方向にスライド移動が可能なように、貫通孔３ｄを介して棚板受部材３に連結されている。接続片部１８は、上側片部１６及び下側片部１７の左右方向における外側（棚板４とは反対側）の端部に連結されている。なお、図２（ｂ）においては、接続片部１８と棚板４の側面部４ｃとが離間した状態で棚板４が支持される形態であるが、棚板４の側面部４ｃからの棚板支持部材５の突出部を減らすため、あるいは、棚板４の左右方向への移動をより効果的に抑制するために、接続片部１８と棚板４の側面部４ｃとが接するように上側片部１６が被挿入部１０に収納された状態で棚板４が支持される形態であってもよい。また、上側片部１６は省略されてもよく、接続片部１８の上端部に挿入部１１が設けられる構成を採用してもよい。この場合、接続片部１８の上端部が支持部１２の一端部１２ａに該当する。これらの場合には、棚板４の側面部４ｃと接続片部１８の側面とが同一平面に収まる（面一となる）ように、棚板４の側面部４ｃの接続片部１８と当接する部位に切欠き等が設けられていてもよい。
【００２３】
外れ防止部材１３は、棚板支持部材５を左右方向における外側（ここでは左側）にスライドさせた場合に、支持部１２が貫通孔３ｄから抜けてしまうことを防止するために、支持部１２の他端部１２ｂ側に接続される部材である。外れ防止部材１３は、左右方向から見たときに、少なくとも下側片部１７及び貫通孔３ｄよりも大きな外形を有している。被挿入部１０から挿入部１１を抜くことで棚板４の着脱作業を行える程度に支持部１２をスライドさせることができるように、挿入部１１を被挿入部１０に挿入した状態（図２（ｂ）の状態）において、外れ防止部材１３は、棚板受部材３の側壁部３ａから左右方向における内側（ここでは右側）に離間した位置に配置される。なお、外れ防止部材１３は、支持部１２と一体に形成されていてもよく、別部材として形成されていてもよい。
【００２４】
挿入部１１は、棚板４の側面部４ｃに形成された被挿入部１０内に挿入される部材である。挿入部１１は、支持部１２の一端部１２ａから、棚板４の側面部４ｃへ向かって突出することにより、被挿入部１０内に収容可能に構成されている。ここで、本実施形態では、被挿入部１０は、側面部４ｃに形成された穴部によって構成されており、挿入された挿入部１１を全周にわたって取り囲む内面部を有している。ここでは、被挿入部１０は矩形状の穴部によって構成されており、挿入部１１に対して水平方向（前方及び後方）で対向する内面部１０ａ，１０ｂと、下方で対向する内面部１０ｃと、上方で対向する内面部１０ｄと、を有している。従って、挿入部１１は、挿入方向（本実施形態では左右方向）と直交する方向（本実施形態では上下方向又は水平方向）に棚板４が棚板支持部材５に対して移動した際（又は移動しようとする際）に、被挿入部１０の内面部１０ａ，１０ｂ，１０ｃ，１０ｄと当接して棚板４を支持することで、当該棚板４の移動を抑制することができる。
【００２５】
なお、棚板４の下方は棚板受部材３により支持されているため、被挿入部１０の内面部のうち、挿入部１１と上方で対向する内面部１０ｄは省略されていてもよく、被挿入部１０は、少なくとも水平方向で対向する内面部１０ａ，１０ｂと、下方で対向する内面部１０ｃと、を有していればよい。すなわち、被挿入部１０に対応する位置において棚板４の上面部４ｂが一部切り欠かれて被挿入部１０が上方に開放されていてもよい。また、被挿入部１０の内面部は平面である必要はなく、被挿入部１０が円形や楕円形の穴部などにより構成されることで内面部が曲面となっていてもよい。
【００２６】
また、挿入部１１は、被挿入部１０内に挿入されて、挿入方向と直交する方向における棚板４の棚板支持部材５に対する相対的な移動を規制できるように形成されていてよい。水平方向（ここでは前後方向）における棚板４の棚板支持部材５に対する相対的な移動を規制する場合、挿入部１１は、被挿入部１０内に挿入された状態において、被挿入部１０の内面部１０ａと少なくとも一部で当接すると共に、被挿入部１０の内面部１０ｂの少なくとも一部で当接するように構成される。これにより、挿入部１１は、被挿入部１０内に挿入された際に、棚板４が棚板支持部材５に対して水平方向（前後方向）にぶれてがたつく動作を抑制できるように形成されている。このような挿入部１１を形成するためには、例えば、挿入部１１を、被挿入部１０の内面部１０ａと内面部１０ｂとの間の寸法より、前後方向における幅（前後方向の最も外側に位置する部分における幅）が大きい弾性部材として形成すればよい。この場合、挿入部１１は、被挿入部１０に押し込まれて挿入されることで、被挿入部１０の内面部１０ａ，１０ｂを押圧するので、挿入部１１が被挿入部１０の内壁面に対して強固に固定されることとなる。このため、棚板４の水平方向の移動を規制できるのはもちろんのこと、棚板４の上下方向への移動を規制することも期待できる。また、例えば、挿入部１１の前後方向における幅を、内面部１０ａと内面部１０ｂとの間の寸法と同一又は略同一となるように形成することによっても、棚板４の棚板支持部材５に対する相対的な移動を規制可能な挿入部１１を形成することができる。このとき、挿入部１１は弾性材料ではなく、剛性材料によって構成してもよい。また、上下方向における棚板４の棚板支持部材５に対する相対的な移動を規制する場合、挿入部１１は、被挿入部１０内に挿入された状態において、被挿入部１０の内面部１０ｃと少なくとも一部で当接すると共に、被挿入部１０の内面部１０ｄと少なくとも一部で当接するように構成される。具体的な構成は、上述の内面部１０ａ，１０ｂと当接する際の構造と同趣旨の構造を採用してよい。なお、挿入部１１が内面部１０ａ，１０ｂ，１０ｃ，１０ｄと当接することで、水平方向及び上下方向の両方において棚板４の移動を規制できる構成としてよい。
【００２７】
次に、図２を用いて、棚板支持部材５により棚板４を支持する機構について説明する。図２（ｂ）に示す状態において、挿入部１１が被挿入部１０から引き抜かれる方向（本実施形態における左方向）に、作業者が棚板支持部材５をスライドさせると、図２（ａ）に示した状態となる。これによって、容易に棚板４を取り外すことができる。図２（ａ）に示した状態において、挿入部１１を被挿入部１０に挿入する方向（挿入方向。本実施形態における右方向）に、作業者が棚板支持部材５をスライドさせると、図２（ｂ）に示した状態となる。これによって、棚板４を容易に支持することができる。
【００２８】
図２（ｂ）に示した状態において、棚板４が前方向又は後方向に移動する際（又は移動しようとする際）には、挿入部１１は、内面部１０ａ又は内面部１０ｂに当接し、内面部１０ａ又は内面部１０ｂからの荷重を受ける。そして、挿入部１１が受けた荷重は、支持部１２を介して棚板受部材３が受ける。これにより、棚板４の前後方向に対する移動が抑制される。また、棚板４が上方向又は下方向に移動する際（又は移動しようとする際）には、挿入部１１は、内面部１０ｄ又は内面部１０ｃに当接し、内面部１０ｄ又は内面部１０ｃからの荷重を受ける。そして、挿入部１１が受けた荷重は、支持部１２を介して棚板受部材３が受ける。これにより、棚板４の上下方向に対する移動が抑制される。また、棚板４の外方向（本実施形態における左方向）への移動は、外れ防止部材１３が干渉することで抑制される。すなわち、棚板４が外方向に一定以上移動すると、外れ防止部材１３が棚板受部材３の側壁部３ａに当接して支えとなることで、それ以上の棚板４の外方向への移動が抑制される。また、棚板４の内方向（本実施形態における右方向）への移動は、接続片部１８が干渉することで抑制される。すなわち、棚板４が内方向に一定以上移動すると、接続片部１８の内側側面部（ここでは右側の側面部）が棚板４の側面部４ｃに当接して支えとなることで、それ以上の棚板４の内方向への移動が抑制される。なお、貫通孔３ｄが支持部１２の下側片部１７に比して若干大きく形成されることで、貫通孔３ｄと下側片部１７との間に多少の隙間があってもよく、このような場合であっても、棚板４の位置ずれの範囲を一定以内に制限することができる。
【００２９】
次に、本実施形態に係る棚装置１の作用・効果について説明する。本実施形態に係る棚装置１では、棚板支持部材５は、支持部１２において貫通孔３ｄを介して棚板受部材３に連結される。また、支持部１２の一端部１２ａ側に設けられた挿入部１１が、棚板受部材３に載置される棚板４の側面部４ｃに形成された被挿入部１０内に挿入される。従って、被挿入部１０に挿入部１１を挿入することで、棚板支持部材５を介して棚板４を棚板受部材３で支持することができ、被挿入部１０から挿入部１１を引き抜くことで当該支持を解除することができる。すなわち、被挿入部１０に対する挿入部１１の抜き挿しによって、棚板４の着脱を容易に行うことができる。また、このように棚板４の着脱を容易に行うことができる一方で、棚板４の側面部４ｃの被挿入部１０に挿入された挿入部１１により、棚板４の上下方向及び水平方向の移動（位置ずれ）を確実に抑制することができる。以上によって、棚板４の着脱を容易に行うことができると共に、棚板４の位置ずれを確実に抑制できる。また、棚装置１では、棚板４の上面部４ｂ側に露出する金具やネジ等を用いて、棚板４を取付部材２や棚板受部材３等に支持（固定）していない。従って、金具やネジ等が上面部４ｂ側に露出せず、棚として使用可能な範囲が制限されることがない。また、棚板４の使用感が損なわれることもない。
【００３０】
また、本実施形態に係る棚装置１では、被挿入部１０は、棚板４の側面部のうち、前後方向に沿った側面部の少なくとも一つ（本実施形態では、側面部４ｃ）に設けられており、棚板支持部材５は、貫通孔３ｄを介して棚板受部材３に連結されている。これにより、棚板４の前後方向に対する位置ずれが被挿入部１０に挿入された挿入部１１によってより確実に抑制されるので、棚板４の前方への飛び出しを効果的に防止することができる。また、上方への棚板４の跳ね上がりを効果的に防止することができる。
【００３１】
次に、図３を用いて、棚装置１における棚板支持部材５の第１〜第４の変形例について説明する。図３（ａ）〜図３（ｄ）は、棚板支持部材５として、第１〜第４の変形例に係る棚板支持部材２０，３０，４０，５０を備える棚装置１を前側から見た場合の棚装置１の一部を模式的に示した図である。なお、以下の変形例に係る棚板支持部材２０，３０，４０，５０の説明においては、棚板支持部材５と同様の構成部分についての説明を大幅に省略する。また、棚板支持部材５の各部と大きく態様の変わらない棚板支持部材２０，３０，４０，５０の各部については、棚板支持部材５の各部の符号と同一の符号を付している。
【００３２】
図３（ａ）に示す第１の変形例に係る棚板支持部材２０は、下側片部の一部がバネ部材（弾性部材）２１となっている点で、棚板支持部材５と主に相違している。具体的には、棚板支持部材２０では、下側片部は、バネ部材２１と、バネ部材２１の左端に接続される第１下側片部２２ａと、バネ部材２１の右端に接続される第２下側片部２２ｂと、によって形成されている。ただし、バネ部材２１の左端が接続片部１８の下端部に直接接続されていてもよい。この場合には、第１下側片部２２ａは存在せず、バネ部材２１及び第２下側片部２２ｂによって下側片部が形成される。また、バネ部材２１の右端が外れ防止部材１３に直接接続されていてもよい。この場合には、第２下側片部２２ｂは存在せず、バネ部材２１及び第１下側片部２１ａによって下側片部が形成される。挿入部１１は、被挿入部１０から外れる方向に引っ張られると、バネ部材２１の弾性力によって被挿入部１０に挿入される方向に引き戻されるようになっている。例えば、外れ防止部材１３と棚板受部材３とが近接しており、棚板支持部材２０を左側に引き出す際に、外れ防止部材１３が棚板受部材３の側壁部３ａに引っかかるようになっている。あるいは、バネ部材２１よりも外れ防止部材１３側の部分（ここでは、第２下側片部２２ｂ又は外れ防止部材１３）が、所定の方法（例えばネジ止めや取付金具による取付等）によって棚板受部材３に対して支持されていてもよい。また、バネ部材２１の長さは、挿入部１１が被挿入部１０に挿入された状態において通常の状態（弾性力が働かない状態）となるように調節されている。
【００３３】
棚板支持部材２０によれば、バネ部材２１の弾性力により、挿入部１１が被挿入部１０から外れることを抑制できる。従って、棚板４の上下方向又は水平方向の移動（位置ずれ）がより確実に抑制される。また、棚板４を棚板支持部材２０により支持する際には、作業者は、例えば接続片部１８を左方向に手で引っ張り、棚板４を棚板受部材３上に載置した後に接続片部１８から手を離すだけでよい。このようにすれば、挿入部１１は、バネ部材２１の弾性力によって自動的に被挿入部１０に挿入される。従って、棚板４の取付作業を容易に行うことができる。
【００３４】
図３（ｂ）に示す第２の変形例に係る棚板支持部材３０は、下側片部３１の幅方向（ここでは前後方向）の略中央部に、下側片部３１の延在方向（ここでは左右方向）に延在するスリット３２を設けた点で、棚板支持部材５と相違している。さらに、当該スリット３２に止めネジ３３を挿通させ、止めネジ３３の先端部３３ａを棚板受部材３の上壁部３ｂに固定した点で、棚板支持部材５と相違している。止めネジ３３の頭部３３ｂの前後方向における幅は、スリット３２の幅よりも大きくなっており、下側片部３１の下面は、棚板受部材３の側壁部３ａの貫通孔３ｄと、止めネジ３３の頭部３３ｂとによって支持される。棚板支持部材３０は、スリット３２の一端部１２ａ側の側面部３２ａが止めネジ３３に当接する位置（以下「第１位置」と表記する）と、スリット３２の他端部１２ｂ側の側面部３２ｂが止めネジ３３に当接する位置（以下「第２位置」と表記する）との間で、左右方向にスライド移動が可能となっている。棚板支持部材３０が第１位置にあるときには、挿入部１１は、被挿入部１０に挿入された状態となる。一方、棚板支持部材３０が第２位置にあるときには、挿入部１１は、被挿入部１０から抜かれた状態となる。
【００３５】
棚板支持部材３０によれば、スリット３２と、スリット３２を挿通した止めネジ３３とにより、下側片部３１（棚板支持部材３０）の左右方向のスライド移動の範囲が、棚板４の着脱に必要な範囲に適切に規制される。また、下側片部３１の下面は、棚板受部材３の側壁部３ａの貫通孔３ｄと、止めネジ３３の頭部３３ｂとによって支持されるので、棚板支持部材３０の支持安定性が高められている。また、止めネジ３３によって棚板支持部材３０が棚板受部材３から外れることが防止されるため、棚板支持部材３０は、外れ防止部材１３を備えなくともよい。
【００３６】
図３（ｃ）に示す第３の変形例に係る棚板支持部材４０は、支持部１２の一端部１２ａ側に挿入部１１を備えていない点で、棚板支持部材５と相違している。棚板支持部材４０では、支持部１２の一端部１２ａ側の部分（挿入部分１２ｃ）が被挿入部１０に挿入された状態において、挿入部分１２ｃと被挿入部１０の内壁面との間に隙間が形成される。しかし、棚板４が上下方向又は前後方向に一定以上移動すると、挿入部分１２ｃの側面が被挿入部１０の内壁面に接触するので、棚板４の一定範囲を超える移動は抑制される。すなわち、棚板支持部材４０においては、挿入部分１２ｃが「挿入部」として機能する。従って、棚板支持部材４０によっても、支持部１２の一端部１２ａ側の挿入部分１２ｃによって棚板４の位置ずれを抑制することができる。しかも、棚板支持部材４０は、特別な挿入部材（例えば棚板支持部材５における挿入部１１のような部材）を設けない分、容易かつ低コストで製造することができる。
【００３７】
図３（ｄ）に示す第４の変形例に係る棚板支持部材５０は、棚板受部材３の側壁部３ａに取り付けられる点で、棚板支持部材５と相違している。棚板支持部材５０では、接続片部５１の長さは、挿入部１１が被挿入部１０に挿入された状態において下側片部１７の上面が下端部３ｅに当接するように調節されている。例えば、挿入部１１が被挿入部１０に挿入された状態で、下側片部１７を側壁部３ａに対して取付金具（不図示）等によって取り付けることで、棚板支持部材５０を棚板受部材３に連結させることができる。棚板４は、棚板支持部材５０を介して棚板受部材３に対して支持されるので、棚板４の位置ずれを抑制することができる。また、この場合には、棚板受部材３に貫通孔３ｄを設ける必要がない。また、棚板支持部材５０では、下側片部１７を側壁部３ａに対して取付金具等によって取り付けるので、外れ防止部材１３を備えなくともよい。
【００３８】
［第２実施形態］
図４を用いて、本発明の第２実施形態に係る棚装置６１について説明する。図４に示すように、棚装置６１は、主に棚板受部材６３、棚板６４、及び棚板支持部材６５の構成について、第１実施形態に係る棚装置１と相違している。より具体的には、棚板６４の前側の側面部６４ｆには、左右両側において、棚板６４の内側に延びる被挿入部６８，６８が形成されている。また、各棚板受部材６３の上壁部６３ｂは、側壁部６３ａに対して、前後方向に所定の範囲内においてスライド可能なように設けられている。このような構成は、例えば側壁部６３ａの上端側の縁に沿ってレール部材（図示省略）を設け、当該レール部材に上壁部６３ｂを取り付けることで実現してもよい。この場合、上壁部６３ｂは、レール部材に沿って前後方向にスライド可能となる。上壁部６３ｂの前端側には、逆Ｌ字状の棚板支持部材６５が連結されている。棚板支持部材６５は、上壁部６３ｂの前端側に接続されて上下方向に延在する矩形状の支持部６６と、支持部６６の上端側に接続されて後側に延在する矩形状の挿入部６７と、を有する。挿入部６７は、棚板受部材６３の上壁部６３ｂを後側にスライドさせることにより、棚板６４の被挿入部６８に挿入可能とされている。
【００３９】
棚装置６１では、各棚板受部材６３の上壁部６３ｂを前側にスライドさせた状態で、上壁部６３ｂに棚板６４を載置し、その後、上壁部６３ｂを後側にスライドさせることで、被挿入部６８に挿入部６７が挿入される。このように、棚板６４の前側の側面部６４ｆに設けられた被挿入部６８に挿入部６７が挿入されることで、少なくとも棚板６４の左右方向に対する位置ずれが被挿入部６８に挿入された挿入部１１によってより確実に抑制される。これにより、棚板６４の横方向へのずれ落ちを効果的に防止することができる。また、上方への棚板４の跳ね上がりを効果的に防止することができる。また、スライド構成において、上壁部６３ｂを後側にスライドさせた際に上壁部６３ｂの位置を固定する機構を設けることで、棚板６４の前方への位置ずれを抑制することもできる。さらに、棚板受部材６３の上壁部６３ｂを前後方向にスライドさせることで、被挿入部６８に対する挿入部６７の抜き挿しを容易に行うことができるので、棚板６４の着脱を容易に行うこともできる。
【００４０】
［第３実施形態］
図５（ａ）を用いて、本発明の第３実施形態に係る棚装置７１について説明する。図５（ａ）に示すように、棚装置７１は、左右一対の取付部材２，２と、取付部材２，２に取り付けられた一対の棚板受部材７３，７３と、棚板受部材７３，７３に載置される棚板７４と、取付部材２，２に連結された一対の棚板支持部材７５，７５と、を備えている。図５（ａ）は、棚装置７１を左側から見た一部断面図であるため、一対の取付部材２，２、一対の棚板受部材７３，７３、及び一対の棚板支持部材７５，７５のうち左側の取付部材２、棚板受部材７３、及び棚板支持部材７５のみが見えている。図５（ａ）においては、棚板７４及び棚板支持部材７５についてのみ、取付部材２の左右方向中央部を通り且つ上下方向及び前後方向に沿った平面で切った断面を示している。
【００４１】
棚板支持部材７５は、Ｌ字状の板状部材であり、上下方向に延在する支持部７６と、支持部７６の下端に接続されて前方に突出した挿入部７７と、を有する。例えば、支持部７６の後側には、棚板受部材３と同様に、上下２段の逆Ｌ字状の掛止部（図示省略）が形成されており、この２つの掛止部が取付部材２の上下に隣接した２つのスリット２ａ，２ａに挿し込まれることで、支持部７６（棚板支持部材７５）は、取付部材２に対して固定される。ただし、棚板支持部材７５を取付部材２に取り付ける方法は、上述の方法に限定されず、例えばネジ止め等によって棚板支持部材７５を取付部材２に取り付けてもよい。
【００４２】
棚板７４の後端側の側面部７４ａには、棚板７４の内側に延びる被挿入部７８が、挿入部７７に対応して設けられている。具体的には、棚板７４が棚板受部材７３に載置される際に、挿入部７７が被挿入部７８内に挿入されるように、被挿入部７８が設けられている。
【００４３】
棚装置７１では、棚板７４が、棚板受部材７３に載置されると共に、棚板７４の後端側の側面部７４ａに設けられた被挿入部７８に挿入部７７が挿入される。これにより、棚板７４の上下方向及び左右方向における位置ずれが、挿入部７７によってより確実に抑制されるので、棚板７４の横方向へのずれ落ちを効果的に防止することができる。また、棚板７４を取り外す際には、棚板７４を棚板受部材７３の上面に沿って前方に引き出して被挿入部７８から挿入部７７を引き抜くことで、棚板７４を容易に取り外すことができる。一方、棚板７４を取り付ける際には、棚板７４を棚板受部材７３の上面に沿って後方に押し込んで被挿入部７８に挿入部７７を挿入することで、棚板７４を容易に取り付けることができる。したがって、棚装置７１によれば、棚板７４の着脱を容易に行うことができる。
【００４４】
［第４実施形態］
図６を用いて、本発明の第４実施形態に係る棚装置９１について説明する。図６に示すように、棚装置９１は、棚板受部材３の代わりに棚板受部材９２を備え、棚板支持部材５の代わりに棚板支持部材９３を備える点で、第１実施形態に係る棚装置１と相違している。
【００４５】
棚板受部材９２は、上壁部３ｂの代わりに、第１上壁部９２ａと、第２上壁部９２ｂと、第３上壁部９２ｃとを備える点で、棚板受部材３と相違している。第１上壁部９２ａ及び第２上壁部９２ｂは、側壁部３ａの上縁部から左右方向における内側へ向かって水平に広がると共に前後方向に延在している。第３上壁部９２ｃは、側壁部３ａの上縁部から左右方向における外側へ向かって水平に広がると共に前後方向に延在している。左右方向から見た場合において、後側から前側に向かって、第１上壁部９２ａ、第３上壁部９２ｃ、及び第２上壁部９２ｂは、この順に互いに重ならないように配置されている。第３上壁部９２ｃの略中央部分には、貫通孔９２ｄが設けられている。なお、図６の例では、第３上壁部９２ｃは、棚板受部材９２の前後方向における中央位置よりも前端側に設けられているが、第３上壁部９２ｃが設けられる位置はこれに限られず、例えば棚板受部材９２の前後方向における中央位置や、中央位置よりも後端側に設けられてもよい。
【００４６】
棚板支持部材９３は、支持部１２の代わりに支持部９４を有しており且つ外れ防止部材１３を有していない点で、棚板支持部材５と相違している。支持部９４は、支持部１２と同様に、上側片部９５、下側片部９６、及び接続片部９７を有している。下側片部９６には、例えばネジ溝が設けられた貫通孔９６ａが設けられている。
【００４７】
棚装置９１では、棚板４は、例えば以下のようにして、棚板受部材９２に取り付けられる。まず、第１上壁部９２ａ及び第２上壁部９２ｂに棚板４が載置され、棚板４の被挿入部１０に棚板支持部材９３の挿入部１１が挿入される。続いて、下側片部９６の貫通孔９６ａの水平位置と第３上壁部９２ｃの貫通孔９２ｄの水平位置とが合うように、下側片部９６が第３上壁部９２ｃの上面に当接させられる。この状態において、棚板４の下面部４ａは、第１上壁部９２ａ及び第２上壁部９２ｂに当接する。すなわち、支持部９４の接続片部９７の長さは、被挿入部１０に棚板支持部材９３の挿入部１１が挿入されると共に下側片部９６が第３上壁部９２ｃの上面に当接した状態において、棚板４の下面部４ａが第１上壁部９２ａ及び第２上壁部９２ｂに当接するように調節されている。続いて、ボルト９８が第３上壁部９２ｃの下側から貫通孔９２ｄを介して貫通孔９６ａのネジ溝に締め込まれることで、下側片部９６が第３上壁部９２ｃに対して固定される。これにより、棚板４は、棚板支持部材９３を介して棚板受部材９２によって支持されると共に、挿入部１１によって上下方向及び左右方向における位置ずれが抑制される。
【００４８】
なお、第３上壁部９２ｃの貫通孔９２ｄは、貫通孔９２ｄに挿通されたボルト９８が左右方向にスライド可能なように、左右方向に所定幅を有するスリット状に形成されていてもよい。この場合、貫通孔９２ｄに挿通されたボルト９８を下側片部９６の貫通孔９６ａに緩く締め込んだ状態（仮止め状態）にすることで、棚板支持部材９３を、ボルト９８を介して第３上壁部９２ｃによって支持しつつ、左右方向にスライドさせることが可能となる。これにより、例えば挿入部１１が棚板４の被挿入部１０に挿入されている場合には、ボルト９８の締め込みを緩めて仮止め状態にしてから棚板支持部材９３を左方向にスライドさせることで、挿入部１１を棚板４の被挿入部１０から引き抜くことができるので、容易に棚板４を棚板受部材９２から取り外すことができる。一方、挿入部１１が棚板４の被挿入部１０に挿入されていない場合には、棚板支持部材９３を右方向にスライドさせることで、挿入部１１を棚板４の被挿入部１０に挿入することができるので、容易に棚板４を棚板受部材９２に取り付けることができる。
【００４９】
［第５実施形態］
図７を用いて、本発明の第５実施形態に係る棚装置１０１について説明する。図７に示すように、棚装置１０１は、棚板受部材３の代わりに棚板受部材１０２を備え、棚板支持部材５の代わりに棚板支持部材１０３を備える点で、第１実施形態に係る棚装置１と相違している。
【００５０】
棚板受部材１０２は、上壁部３ｂの代わりに、第１上壁部１０２ａと、第２上壁部１０２ｂと、第３上壁部１０２ｃとを備える点で、棚板受部材３と相違している。第１上壁部１０２ａ、第２上壁部１０２ｂ、及び第３上壁部１０２ｃは、いずれも側壁部３ａの上縁部から左右方向における内側へ向かって水平に広がると共に前後方向に延在している。左右方向から見た場合において、後側から前側に向かって、第１上壁部１０２ａ、第３上壁部１０２ｃ、及び第２上壁部１０２ｂは、この順に配置されている。第３上壁部１０２ｃは、上面が第１上壁部１０２ａの上面及び第２上壁部１０２ｂの上面よりも下方に位置するように設けられている。より具体的には、第３上壁部１０２ｃは、後述する棚板支持部材１０３の下側片部１０６が第３上壁部１０２ｃの上面に当接した状態において、下側片部１０６の上面が第１上壁部１０２ａの上面及び第２上壁部１０２ｂの上面よりも上方に位置することがないように設けられている。これにより、後述するように棚板支持部材１０３の下側片部１０６を第３上壁部１０２ｃの上面に当接させた状態で棚板４を棚板受部材１０２に載置する際に、下側片部１０６が邪魔にならず、棚板４の下面部４ａを第１上壁部１０２ａ及び第２上壁部１０２ｂに当接させることが可能になっている。第３上壁部１０２ｃの略中央部分には、貫通孔１０２ｄが設けられている。なお、図７の例では、第３上壁部１０２ｃは、棚板受部材１０２の前後方向における中央位置よりも前端側に設けられているが、第３上壁部１０２ｃが設けられる位置はこれに限られず、例えば棚板受部材１０２の前後方向における中央位置や、中央位置よりも後端側に設けられてもよい。
【００５１】
棚板支持部材１０３は、支持部１２の代わりに支持部１０４を有しており且つ外れ防止部材１３を有していない点で、棚板支持部材５と相違している。支持部１０４は、支持部１２と同様に、上側片部１０５、下側片部１０６、及び接続片部１０７を有している。下側片部１０６には、例えばネジ溝が設けられた貫通孔１０６ａが設けられている。
【００５２】
このような棚装置１０１によれば、棚装置９１と同様の仕組みによりに、棚板４を棚板受部材１０２に取り付けることができる。これにより、棚板４は、棚板支持部材１０３を介して棚板受部材１０２によって支持されると共に、挿入部１１によって上下方向及び左右方向における位置ずれが抑制される。また、第３上壁部１０２ｃの貫通孔１０２ｄは、棚装置９１の貫通孔９２ｄと同様に、貫通孔１０２ｄに挿通されたボルト９８が左右方向にスライド可能なように、左右方向に所定幅を有するスリット状に形成されていてもよい。これにより、例えば挿入部１１が棚板４の被挿入部１０に挿入されている場合には、ボルト９８の締め込みを緩めて仮止め状態にしてから棚板支持部材１０３を左方向にスライドさせることで、挿入部１１を棚板４の被挿入部１０から引き抜くことができるので、容易に棚板４を棚板受部材１０２から取り外すことができる。一方、挿入部１１が棚板４の被挿入部１０に挿入されていない場合には、棚板支持部材１０３を右方向にスライドさせることで、挿入部１１を棚板４の被挿入部１０に挿入することができるので、容易に棚板４を棚板受部材１０２に取り付けることができる。
【００５３】
なお、棚板４を棚板受部材１０２に載置する際に下側片部１０６が邪魔にならないようにするためには、上述のように第３上壁部１０２ｃの上面を第１上壁部１０２ａの上面及び第２上壁部１０２ｂの上面よりも下方に設ける代わりに、例えば棚板４の下面部４ａに下側片部１０６が入り込むためのくり抜き部分が設けられた形状の棚板を用いてもよい。
【００５４】
なお、本実施形態では、取付部材及び棚板受部材を左右両側に一対設ける構成として説明したが、棚板１つに対して取付部材及び棚板受部材をそれぞれ１つずつ設ける構成としてもよい。また、棚板１つに対して取付部材及び棚板受部材をそれぞれ３つ以上設ける構成としてもよい。また、第１〜第５実施形態に係る構成を適宜組み合わせてもよい。例えば、棚板の複数の側面部にそれぞれ被挿入部を設け、各被挿入部に対応する挿入部を有する棚板支持部材を複数設ける構成としてもよい。
【００５５】
また第１実施形態では、棚板支持部材５の支持部１２として、コの字状に二段階に屈曲したものを例に挙げて説明したが、支持部の形状はこれに限定されない。例えば、支持部は、Ｕ字状に丸みを帯びた部分を有する形状であってもよいし、上下方向又は左右方向に対して傾斜した部分を有する形状であってもよい。また、支持部は、長尺なプレート状に形成されていなくともよい。ただし、支持部をプレート状に形成することで、支持部の製造を容易化することができる。また、支持部の取り扱いについても容易化できる。
【００５６】
また第１実施形態では、棚板支持部材５が棚板受部材３の前後方向中央部よりも前端側に連結される例について説明したが、棚板支持部材は、棚板受部材の前後方向中央部よりも後端側（例えば幅広の部分）に取り付けられる構成であってもよいし、取付部材に取り付けられる構成であってもよい。また、棚板の前後方向に沿った側面に設けられる凹部についても、棚板の前後方向中央部よりも後端側に設けてもよい。
【００５７】
図５（ｂ）は、挿入部の変形例を示す平面図である。第１〜第５実施形態に係る棚装置１，６１，７１，９１，１０１における挿入部の形状として、同図に示すように平面視上挿入方向に直交する側面部が鋸形状をなした挿入部８０を採用してもよい。具体的には、挿入部８０は、側面部に複数（図では３つ）の山部８１が連続的に形成された形状をなしている。山部８１は、傾斜部８１ａと、接続部８１ｂと、を有する。傾斜部８１ａは、挿入方向に向かって幅狭となるように傾斜する部分である。接続部８１ｂは、挿入方向側において傾斜部８１ａに接続すると共に、挿入方向とは反対側において隣接する他の山部８１の傾斜部８１ａ（又は支持部８２）に接続する部分である。このような山部８１を有する挿入部８０によれば、傾斜部８１ａが挿入方向に向かって幅狭となるように傾斜していることにより、挿入部８０を被挿入部にスムーズに挿入することができる。また、挿入部８０が被挿入部に挿入された後は、山部８１の頂点部分（同一の山部８１の傾斜部８１ａ及び接続部８１ｂが互いに接続される部分）が引っかかりとなることで挿入部８０が被挿入部から抜けにくくなるため、棚板支持部材による棚板の支持が予期せず解除されることをより確実に防止できる。
【符号の説明】
【００５８】
１，６１，７１，９１，１０１…棚装置、２…取付部材、３，６３，７３，９２，１０２…棚板受部材、４、６４，７４…棚板、４ａ…下面部、４ｂ…上面部、４ｃ，４ｄ，４ｅ，４ｆ，６４ｆ，７４ａ…側面部、１０，６８，７８…被挿入部、５，２０，３０，４０，５０，６５，７５，９３，１０３…棚板支持部材、１１，６７，７７，８０…挿入部、１２，６６，７６，８２，９４，１０４…支持部。
【図１】
2015107313.tif 000003
【図２】
2015107313.tif 000004
【図３】
2015107313.tif 000005
【図４】
2015107313.tif 000006
【図５】
2015107313.tif 000007
【図６】
2015107313.tif 000008
【図７】
2015107313.tif 000009